(57)【要約】【課題】  内扉を支持する支柱に電気ケーブルを整線する結束バンドを取付けた場合でも、支柱の支持部を変形させることなく内扉を支柱に止着することができる電気機器収納ボックスを提供する。【解決手段】  開口１ａを有する箱体１内に取付けられたフレーム２に内器ブロック３Ａ，３Ｂが配設され、このフレーム２に固定される複数の支柱４Ａ，４Ｂに、上記箱体１の開口１ａを開閉可能な内扉５が支持された電気機器収納ボックスにおいて、上記支柱４Ａ，４Ｂの固定部４ａに、電気ケーブル６の結束バンド７を挿通可能な挿通孔４ｄを有する結束バンド取付部４ｃを設けた。【選択図】      図４
2005312154.tif 000002
【特許請求の範囲】
【請求項１】
開口を有する箱体内に取付けられたフレームに内器ブロックが配設され、このフレームに固定される複数の支柱に、上記箱体の開口を開閉可能な扉が支持された電気機器収納ボックスにおいて、
上記支柱の固定部に、電気ケーブルの結束バンドを挿通可能な挿通孔を有する結束バンド取付部が設けられていることを特徴とする電気機器収納ボックス。
【請求項２】
上記フレームは、上記箱体の開口面と反対側の底面に互いに離間する位置で一対取付けられており、上記内器ブロックはこのフレーム間に設置され、
上記結束バンド取付部は、上記支柱の固定部の内器ブロック側の端部と反対側の端部から箱体の開口面に向かって突出する形状に形成されていることを特徴とする請求項１に記載の電気機器収納ボックス。
【発明の詳細な説明】
【技術分野】
【０００１】
本発明は、ブレーカー等の電気機器を収容する電気機器収納ボックスに関するものである。
【背景技術】
【０００２】
従来、電気機器収納ボックスとしては、一面開口の箱体内の底面に一対のフレームが取付けられ、ブレーカー等の電気機器を組み込んでユニット化した内器ブロックを上記フレームに配設して当該フレーム間に設置したものが知られている（例えば特許文献１参照）。
【０００３】
この電気機器収納ボックスにおいては、図５に示すように、箱体１の開口１ａを外側から覆う外扉９と、この開口１ａ内に嵌り込んでブレーカー８のハンドル部分等を露出させてその他の部分を覆う内扉５とが設けられている。
【０００４】
上記外扉９は、開口１ａを開閉可能となるようにヒンジ等（図示せず）により箱体１に取付けられている。また、上記内扉５は、上記フレーム２に固定される支柱４０に、片側の端部をリンク機構等により揺動可能に支持され、反対側の端部を止着可能に支持されて、箱体１の開口１ａを開閉可能となっている。
【０００５】
上記内扉５と支柱４０との止着構造としては、支柱４０の端面にネジ孔が形成され、内扉５には上記ネジ孔に螺合するローレットねじ等のネジ部材４１が挿通される貫通孔が形成されて、支柱４０の端面に内扉５を当接させた状態で内扉５の貫通孔からネジ部材４１を支柱４０のネジ孔に螺入することにより内扉５が支柱４０に止着されるようになっている。
【０００６】
このような電気機器収納ボックスでは、支柱４０と箱体１の側面との間に空間が形成されているので、内器ブロック３に組み込まれた電気機器８に接続される複数本の電気ケーブル６が上記空間内に配索されることになる。
【特許文献１】実開平５−５０９０８号公報
【発明の開示】
【発明が解決しようとする課題】
【０００７】
しかしながら、上記複数本の電気ケーブル６を整線するために、結束バンド７でこれらの電気ケーブル６をまとめて上記支柱４０に取付けることがあり、この場合には電気ケーブル６の重みで支柱４０が変形して、内扉５の貫通孔の位置と支柱４０のネジ孔の位置とがずれてしまって、内扉５をネジ部材４１で支柱４０に止着し難くなることがあった。
【０００８】
本発明は、このような事情に鑑み、扉を支持する支柱に電気ケーブルを整線する結束バンドを取付けた場合でも、扉を支柱に支障なく止着することができる電気機器収納ボックスを提供することを目的とする。
【課題を解決するための手段】
【０００９】
請求項１の発明は、開口を有する箱体内に取付けられたフレームに内器ブロックが配設され、このフレームに固定される複数の支柱に、上記箱体の開口を開閉可能な扉が支持された電気機器収納ボックスにおいて、上記支柱の固定部に、電気ケーブルの結束バンドを挿通可能な挿通孔を有する結束バンド取付部が設けられているものである。
【００１０】
請求項２の発明は、請求項１に記載の電気機器収納ボックスにおいて、上記フレームは、上記箱体の開口面と反対側の底面に互いに離間する位置で一対取付けられており、上記内器ブロックはこのフレーム間に設置され、上記結束バンド取付部は、上記支柱の固定部の内器ブロック側の端部と反対側の端部から箱体の開口面に向かって突出する形状に形成されているものである。
【発明の効果】
【００１１】
請求項１の発明によれば、支柱の固定部に、電気ケーブルの結束バンドを挿通可能な挿通孔を有する結束バンド取付部を設けたから、この結束バンド取付部に結束バンドを容易に取付けることができる。
【００１２】
そして、このように取付けることにより、電気ケーブルの重みは支柱の固定部で支えられて、扉を支持する支持部にかかり難くなるので、支持部が電気ケーブルの重みによって変形することを有効に抑制することができる。従って、支柱に電気ケーブルを整線する結束バンドを取付けた場合でも、支柱の支持部を変形させることなく扉を支障なく支柱に止着することができる。
【００１３】
請求項２の発明によれば、上記結束バンド取付部を固定部の内器ブロック側の端部と反対側の端部から箱体の開口面に向かって突出する形状に形成したから、支柱と箱体の側面との間の空間内に電気ケーブルを配索した際に、結束バンドをより容易に結束バンド取付部に取付けることができる。
【発明を実施するための最良の形態】
【００１４】
以下、本発明を実施するための最良の形態について、図面を参照しながら詳細に説明する。
【００１５】
図１および図２に示すように、電気機器収納ボックスは、直方体形状の一面に大きな開口１ａを有した箱体１と、この開口１ａを外側から覆う外扉９とを備えている。また、この箱体１内の開口面（上記開口した面）と反対側の底面には、箱体１の長手方向に延在して幅方向に並ぶ左右一対のフレーム２が取付けられ、このフレーム２に跨って内器ブロック３Ａ，３Ｂが配設されているとともに、フレーム２に複数の支柱４Ａ，４Ｂが固定されている。そして、これらの支柱４Ａ，４Ｂに、箱体１の開口１ａ内に嵌り込んで上記内器ブロック３Ａ，３Ｂ等を覆う内扉５が支持されている。
【００１６】
上記箱体１および外扉９は金属製の薄板で構成されており、外扉９は、右側の端部がヒンジ１９ａを介して箱体９に取付けられているとともに、左側の端部には外扉９を箱体１に止着する止着手段１９ｂが設けられて、箱体１の開口１ａを開閉可能となっている。
【００１７】
上記止着手段１９ｂは、例えば回転式のラッチ錠であり、外扉９の外側からキーを差し込んで回すことにより外扉９の内側に設けられた係合片１９１が外扉９から突出して箱体１に係合するものである。
【００１８】
上記フレーム２は、金属板等で下方に開口する断面略コ字状に形成されている。
【００１９】
このフレーム２を固定するために、箱体１内の底面には、フレーム２の長手方向の両端部に対応する位置にボルト１２が設けられ、このボルト１２は、ネジ部分が上方を向いた状態で押え板１３によって頭部を押え込まれて箱体１の底面に固定されている。
【００２０】
そして、ボルト１２にスペーサ用ナット１４を螺合して固定し、このスペーサ用ナット１４の上にフレーム２を置いて、フレーム２から突出したボルト１２にナット１５を螺合することでフレーム２を箱体１の底面に固定している。
【００２１】
また、図示はしないが、フレーム２の上面の適所には複数のネジ孔が形成されている。
【００２２】
上記内器ブロック３Ａ，３Ｂは、外部から入力された電力の通電遮断を行う主幹ブレーカー８Ａがプレート３ａに取付けられた内器ブロック３Ａと、主幹ブレーカー８Ａの下流側で入力された電力を分配する複数台の分岐ブレーカー８Ｂがプレート３ｂに取付けられた内器ブロック３Ｂの２種類があり、これらの内器ブロック３Ａ，３Ｂは箱体１の長手方向に並べられている。
【００２３】
上記プレート３ａ，３ｂは、上記左右のフレーム２に跨って橋架可能な大きさを有し、左右両端部はフレーム２に沿うように２段階で上方と水平に折り曲げられてフレーム２の上に重ね合わされている。そして、左右両端部の上からネジＢ１がフレームのネジ孔に螺入されることによりプレート３ａ，３ｂがフレーム２にネジ固定されている。
【００２４】
上記内扉５は、金属製の薄板で箱体１の開口１ａ内に嵌り込む大きさに構成され、適所に切欠きが形成されてブレーカー８Ａ，８Ｂのハンドル部分等を外側に露出させるようになっている。
【００２５】
この内扉５は、右側の端部を上記支柱４Ｂにリンク機構４５ａで揺動可能に支持され、左側の端部を上記支柱４Ａに止着可能に支持されて、箱体１の開口１ａを開閉可能となっている。内扉５の左側の端部には、内扉５を支柱４Ｂに止着する止着手段４５ｂが設けられている。この止着手段４５ｂについては後述する。
【００２６】
上記支柱４Ａ，４Ｂは、共にフレーム２に固定される固定部４ａと、この固定部４ａから上方に向かって立設する支持部４ｂとを備え、固定部４ａが上記内器ブロック３Ａ，３Ｂのプレート３ａ，３ｂの上に重ね合わされて、プレート３ａ，３ｂを介してフレーム２にネジＢ２によりネジ固定されている。
【００２７】
ここで、内扉５と支柱４Ａとの止着構造並びに支柱４Ａの構造を詳細に説明するために、支柱４Ａおよび内扉５に設けられた止着手段４５ｂの拡大斜視図を図３に示す。
【００２８】
止着手段４５ｂはスライド式のラッチ錠であり、係合片４５２が本体４５１内に設けられたスプリング等で付勢されて本体４５１の左側面から突出している。また、この係合片４５２には、操作用の摘み４５３が設けられており、この摘み４５３が本体４５１の上面に形成された開口から突出している。
【００２９】
支柱４Ａは、合成樹脂等で一体成形されて、支持部４ｂの上端面に内扉５が当接したときに内扉５に傷が付き難くなっている。
【００３０】
支柱４Ａの固定部４ａはフレーム２の長手方向に延びる長方形板状に形成され、この固定部４ａの中央付近からは底辺と左側の辺とが直角をなす略直角三角形板状の２枚のリブ板４ｅが固定部４ａの長手方向に並んだ状態で立設され、さらにこのリブ板４ｅの上部には上側の側面に内扉５が当接される長方形板状の頭部４ｇが上記固定部４ａと長手方向が同じ方向を向きかつ短辺同士が略直交する姿勢で連設されている。
【００３１】
上記リブ板４ｅと頭部４ｇとで支持部４ｂが構成されている。
【００３２】
また、頭部４ｇには、中央部分に長方形状の切欠４ｆが形成されており、この切欠４ｆ内に上記止着手段４５ｂの係合片４５２が挿入されて切欠４ｆの上側周縁部に係合することで内扉５が支柱４Ａに止着される。
【００３３】
一方、内扉５の止着状態を解除するには、止着手段４５２の摘み４５３を摘んで係合片４５２をスプリングの不勢力に対抗して右側に動かすことにより、止着状態を解除できる。
【００３４】
上記固定部４ａの内器ブロック３Ａ，３Ｂ側の端部と反対側の端部には、長手方向の両端部に箱体１の開口面に向かうように上方に突出する一対の結束バンド取付部４ｃが設けられている。この結束バンド取付部４ｃは、箱体１内に配索される複数本の電気ケーブル６（図４参照）を整線する結束バンド７（図４参照）が挿通可能な左右方向に貫通する挿通孔４ｄを有している。
【００３５】
このように、支柱４Ａの固定部４ａに、電気ケーブル６の結束バンド７を挿通可能な挿通孔４ｄを有する結束バンド取付部４ｃを設けたから、図４に示すように、支柱４Ａと箱体１の側面との間の空間内に、内器ブロック３Ａ，３Ｂに組み込まれたブレーカー８Ａ，８Ｂ等に接続される複数本の電気ケーブル６を配索する際に、これらの電気ケーブル６を整線する結束バンド７を支柱４Ａの結束バンド取付部４ｃの挿通孔４ｄに通すことで容易に取付けることができる。
【００３６】
そして、このように取付けることにより、電気ケーブル６の重みは支柱４Ａの固定部４ａで支えられて、内扉５を支持する支持部４ｂにかかり難くなるので、支持部４ｂが電気ケーブル６の重みによって変形することを有効に抑制することができる。従って、支柱４Ａに電気ケーブル６を整線する結束バンド７を取付けた場合でも、支柱４Ａの支持部４ｂを変形させることなく内扉５を支障なく支柱４Ａに止着することができる。
【００３７】
また、上記結束バンド取付部４ｃを固定部４ａの内器ブロック３Ａ，３Ｂ側の端部と反対側の端部から箱体１の開口面に向かって突出する形状に形成したから、この結束バンド取付部４ｃと電気ケーブル６との距離が近くなり、しかも箱体１の開口１ａから作業がし易くなるので、結束バンド７をより容易に結束バンド取付部４ｃに取付けることができる。
【００３８】
さらには、上記支持部４ｂの内扉５が当接される頭部４ｇと固定部４ａとの間を略直角三角形板状のリブ板４ｅで構成したから、この部分には結束バンド７を取付け難くなり、作業者が誤って支持部４ｂに結束バンド７を取付けることを有効に阻止することができる。
【００３９】
なお、上記実施形態では、内扉５と支柱４Ａとを止着する止着手段４５ｂをスライド式のラッチ錠としているが、止着手段４５ｂとしてはこれに限定されるものではなく、例えば支柱４Ｂの上端面にネジ孔を形成し、ローレットねじ等のネジ部材を採用することも可能である。外扉９と箱体１とを止着する止着手段１９ｂについても同様である。
【００４０】
支柱４Ａとしては、必ずしも合成樹脂等で一体成形されたものである必要はなく、金属材料で構成して、支柱４Ａの内扉５が当接する上端面にウレタンゴム等の緩衝材を貼り付けたものであってもかまわない。
【００４１】
一方、結束バンド取付部４は、内扉５を止着可能に支持する支柱４Ａの固定部４ａに設けた形態を示したが、内扉５を揺動可能に支持する支柱４Ｂの固定部４ａに設けてもよく、さらには、両方の支柱４Ａ，４Ｂに設けてもよい。
【００４２】
また、内器ブロック３Ａ，３Ｂに組み込まれる電気機器は、ブレーカー８Ａ，８Ｂに限られず、その他の電気機器であってもかまわない。
【００４３】
上記実施形態では、支柱４Ａ，４Ｂが内器ブロック３Ａ，３Ｂのプレート３ａ，３ｂを介してフレーム２に取付けられた形態を示したが、プレート３ａ，３ｂを切り欠いたりプレート３ａ，３ｂのない位置に支柱４Ａ，４Ｂを配置したりする等して、支柱４Ａ，４Ｂを直接フレーム２に固定してもかまわない。
【００４４】
また、箱体１の形状としては、箱体１の上面に大きな開口を有した形態を示したが、上面が全て開口面となっていてもかまわない。
【００４５】
その他フレーム２の形状および箱体１への取付構造や内器ブロック３Ａ，３Ｂのプレート３ａ，３ｂの形状等も適宜変更可能である。
【図面の簡単な説明】
【００４６】
【図１】電気機器収納ボックスの外扉および内扉を取外した状態での平面図である。
【図２】図１のＩ−Ｉ線断面図である。
【図３】支柱および内扉に設けられた止着手段の斜視図である。
【図４】支柱の結束バンド取付部に結束バンドを取付けたときの状態を示す正面断面図である。
【図５】従来の電気機器収納ボックスの正面断面図である。
【符号の説明】
【００４７】
１  箱体
２  フレーム
３Ａ，３Ｂ  内器ブロック
４Ａ，４Ｂ  支柱
４ａ  固定部
４ｂ  支持部
５  内扉
６  電気ケーブル
７  結束バンド
８Ａ  主幹ブレーカー
８Ｂ  分岐ブレーカー
９  外扉
１９ｂ，４５ｂ  止着手段
【図１】
2005312154.tif 000003
【図２】
2005312154.tif 000004
【図３】
2005312154.tif 000005
【図４】
2005312154.tif 000006
【図５】
2005312154.tif 000007